(57)【要約】      （修正有）【課題】会議のプレゼンテーション及び／又はリアルタイムのゲームに応用される無線画像音声送受信システム及び方法を提供する。【解決手段】無線画像音声送受信システム及び方法は、会議のプレゼンテーション及び／又はリアルタイムのゲームに応用される。使用者はジェスチャー制御及び音声制御の内の少なくとも１つの方式を用いて少なくとも１つの送信端の各送信装置の操作制御を行い、送信装置の操作及び／又はＶＩＰ設定／解除を行う。受信端の受信装置が少なくとも１つの送信端の特定の送信端の送信装置のＶＩＰ設定を受信した場合、特定の送信端の送信装置から出力される画像音声信号に対して優先的に解凍処理が行われ、ＶＩＰ解除が受信されるまで優先的に出力され続ける。ＶＩＰ設定を受信しなかった場合、受信された少なくとも１つの画像音声信号の優先順序に基づいた解凍処理が行われて表示される。【選択図】図１
2019213180.tif 000002
【特許請求の範囲】
【請求項１】
会議のプレゼンテーション及び／又はリアルタイムのゲームに応用される無線画像音声送受信方法であって、
少なくとも１つの送信端の各送信装置及び受信端の受信装置が接続されていることの確認を行うことにより画像音声信号を送信し、前記画像音声信号は圧縮エンコードパケット画像信号である起動動作ステップと、
使用者がジェスチャー制御及び音声制御の内の少なくとも１つの方式を用いて前記少なくとも１つの送信端の前記各送信装置の操作制御を行うことにより、送信装置の操作、ＶＩＰ設定、及びＶＩＰ解除の内の少なくとも何れか１つの操作が行われる操作動作ステップと、
前記受信端の前記受信装置が前記少なくとも１つの送信端の前記各送信装置から出力される画像音声信号を無線方式で受信する表示動作ステップと、
を含むことを特徴とする無線画像音声送受信方法。
【請求項２】
前記受信端の前記受信装置が前記少なくとも１つの送信端の特定の送信端の送信装置のＶＩＰ設定を受信した場合、前記特定の送信端の前記送信装置から出力される画像音声信号に対して優先的に解凍処理が行われ、且つ解凍処理された画像音声信号が表示装置に優先的に出力され、前記受信端の前記受信装置が前記少なくとも１つの送信端の前記特定の送信端の前記送信装置のＶＩＰ解除を受信するまで前記表示装置に表示され続けることを特徴とする請求項１に記載の無線画像音声送受信方法。
【請求項３】
前記受信端の前記受信装置がＶＩＰ設定を受信しなかった場合、前記受信端の前記受信装置では、受信された前記少なくとも１つの送信端の少なくとも何れか１つからの前記画像音声信号の優先順序に基づいて解凍処理が行われ、解凍処理された画像音声信号が表示装置に出力されて表示されることを特徴とする請求項１に記載の無線画像音声送受信方法。
【請求項４】
会議のプレゼンテーション及び／又はリアルタイムのゲームに応用される無線画像音声送受信方法であって、
少なくとも１つの送信端の各送信装置及び受信端の受信装置が接続されていることの確認を行うことにより画像音声信号を送信し、前記画像音声信号は圧縮エンコードパケット画像信号である起動動作ステップと、
使用者がジェスチャー制御及び音声制御の内の少なくとも１つの方式を用いて前記少なくとも１つの送信端の前記各送信装置の操作制御を行うことにより、送信装置の操作、ＶＩＰ設定、及びＶＩＰ解除の内の少なくとも何れか１つの操作が行われる操作動作ステップと、
前記受信端の前記受信装置が前記少なくとも１つの送信端の前記各送信装置から出力される画像音声信号を無線方式で受信し、前記受信端の前記受信装置が前記少なくとも１つの送信端の特定の送信端の送信装置のＶＩＰ設定を受信した場合、前記特定の送信端の前記送信装置から出力される画像音声信号に対して優先的に解凍処理が行われ、且つ解凍処理された画像音声信号が表示装置に優先的に出力され、前記受信端の前記受信装置が前記少なくとも１つの送信端の前記特定の送信端の前記送信装置のＶＩＰ解除を受信するまで前記表示装置に表示され続け、ＶＩＰ設定を受信しなかった場合、前記受信端の前記受信装置では、受信された前記少なくとも１つの送信端の少なくとも何れか１つからの前記画像音声信号の優先順序に基づいて解凍処理が行われ、解凍処理された画像音声信号が前記表示装置に出力されて表示される表示動作ステップと、
を含むことを特徴とする無線画像音声送受信方法。
【請求項５】
会議のプレゼンテーション及び／又はリアルタイムのゲームに応用される無線画像音声送受信方法であって、
受信端の受信装置が少なくとも１つの送信端の各送信装置から出力される画像音声信号を無線方式で受信し、且つ前記少なくとも１つの送信端の前記各送信装置の内の１つの画像音声信号を表示装置に選択的に出力するステップを含み、
前記受信端の前記受信装置が前記少なくとも１つの送信端の特定の送信装置の使用者によるジェスチャー制御及び音声制御の内の少なくとも１つの方式で生成されたＶＩＰ設定を受信することにより、前記特定の送信装置の画像音声信号が前記表示装置に出力され、前記受信端の前記受信装置が前記特定の送信装置のＶＩＰ解除を受信した後、前記受信端の前記受信装置では、受信された前記少なくとも１つの送信端の前記送信装置の少なくとも何れか１つからの前記画像音声信号の優先順序に基づいて、解凍処理が行われ、解凍処理された画像音声信号が前記表示装置に出力されて表示されることを特徴とする無線画像音声送受信方法。
【請求項６】
会議のプレゼンテーション及び／又はリアルタイムのゲームに応用される無線画像音声送受信システムであって、
Ｔｙｐｅ−Ｃ、ＨＤＭＩ、及びＵＳＢの内の少なくとも何れか１つのインターフェースに符合する画像音声信号を受信し、且つＩＥＥＥ８０２．１１ａｃプロトコル、１００Ｍｂｐｓで前記画像音声信号を出力する少なくとも１つの送信装置と、
各前記少なくとも１つの送信装置から出力される画像音声信号を受信し、且つＴｙｐｅ−Ｃ、ＨＤＭＩ、及びＵＳＢの内の少なくとも何れか１つのインターフェースに符合する画像音声信号を選択的に表示装置に出力する受信装置と、
を備えることを特徴とする無線画像音声送受信システム。
【請求項７】
各前記少なくとも１つの送信装置が先ず前記受信装置にマッチングされて送受信チャンネルが選択されると共にＷＭＭパラメータ、ＭＣＳ、及びパケット再送信メカニズムの調整が行われ、且つ前記受信装置により前記表示装置の表示パラメータが検知されると共に、表示パラメータが各前記少なくとも１つの送信装置に送信され、且つ、各前記少なくとも１つの送信装置が表示パラメータ及び画像音声信号の送受信モードに基づいて画像音声信号の圧縮率及びフレームレートの調整を行って画像音声信号を出力することを特徴とする請求項６に記載の無線画像音声送受信システム。
【請求項８】
前記送信装置は、
使用者のジェスチャー制御及び／又は音声制御を感知し、使用者が前記ジェスチャー制御及び前記音声制御の内の少なくとも１つの方式で前記少なくとも１つの送信装置の操作制御を行うことで、需要に応じたＶＩＰ設定／ＶＩＰ解除を生成可能にする感知／制御モジュールと、
前記感知／制御モジュールに対応して、前記少なくとも１つの送信装置が起動／終了（start/stop）、一時停止／再開（pause/resume）、メニュー（menu）、終了メニュー（exit menu）等の操作を実行可能にし、且つＴｙｐｅ−Ｃ、ＨＤＭＩ、及びＵＳＢの内の少なくとも何れか１つのインターフェースに符合する画像音声信号を受信し、前記画像音声信号を送信する画像音声受信モジュールと、
前記画像音声受信モジュールからの前記画像音声信号を受信した後、前記画像音声信号に対する圧縮エンコードを行い、圧縮エンコード画像音声信号を送信する画像圧縮／パケットモジュールと、
パケットの画像音声信号の圧縮エンコードをＩＥＥＥ８０２．１１ａｃプロトコルで送信し、圧縮エンコードパケット画像音声信号とする画像音声信号を前記受信装置に送信する無線送信モジュールと、
を備えることを特徴とする請求項６に記載の無線画像音声送受信システム。
【請求項９】
前記受信装置は、
ＩＥＥＥ８０２．１１ａｃプロトコル、１００Ｍｂｐｓ、又はＷＰＡ２−ＰＳＫ暗号タイプで圧縮エンコードパケット画像音声信号としての画像音声信号を受信し、且つ受信された画像音声信号を送信する無線受信モジュールと、
前記無線受信モジュールからの前記画像音声信号に対して受信されたパケットの処理及び画像音声信号の解凍処理を行い、且つ処理後の画像音声信号を送信するパケット処理／画像解凍モジュールと、
前記パケット処理／画像解凍モジュールからの前記画像音声信号を受信し、Ｔｙｐｅ−Ｃ、ＨＤＭＩ及びＵＳＢの内の少なくとも何れか１つのインターフェースに符合する画像音声信号を前記表示装置に出力する画像音声出力モジュールと、
を備えることを特徴とする請求項８に記載の無線画像音声送受信システム。
【請求項１０】
前記送信装置及び前記受信装置の無線送受信構成は、８０２.１１aｃ（5G）、１００Ｍｂｐｓ、又はＷＰＡ２−ＰＳＫ暗号タイプの内の少なくとも何れか１つであることを特徴とする請求項９に記載の無線画像音声送受信システム。
【発明の詳細な説明】
【技術分野】
【０００１】
本発明は、無線画像音声送受信システム及び方法（a system and a method for wireless av transmission）に関し、更に詳しくは、会議のプレゼンテーション及び／又はリアルタイムのゲームに応用される無線画像音声送受信システム及び方法であり、受信端の受信装置が少なくとも１つの送信端の特定の送信端の送信装置のＶＩＰ設定を受信した場合、前記特定の送信端の前記送信装置から出力される画像音声信号に対して優先的に解凍処理が行われ、且つ解凍処理された画像音声信号が表示装置に優先的に出力され、且つ前記表示装置に表示される無線画像音声送受信システム及び方法に関する。
【背景技術】
【０００２】
無線送受信技術の普及により、無線画像音声送受信技術を用いて人々が便利に画像や音声を送受信することが可能になっている。
【発明の概要】
【発明が解決しようとする課題】
【０００３】
しかしながら、前述した従来の無線画像音声送受信技術では、応用上遅延が発生するため、従来の技術では無線送受信効率を最適化できなかった。このため、圧縮率が高いＨ．２６４技術を選択的に用いることで帯域幅を圧縮させているが、これでは遅延が悪化した。
【課題を解決するための手段】
【０００４】
そこで、本発明者は上記の欠点が改善可能と考え、鋭意検討を重ねた結果、合理的設計で上記の課題を効果的に改善する本発明の提案に到ったものである。
【０００５】
すなわち、本発明は、上記のような従来の課題に鑑みてなされたものである。
【０００６】
上記課題解決のため、本発明の主目的は、会議のプレゼンテーション及び／又はリアルタイムのゲームに応用される無線画像音声送受信システム及び方法を提供することにある。すなわち、受信端の受信装置が少なくとも１つの送信端の特定の送信端の送信装置のＶＩＰ設定を受信した場合、前記特定の送信端の前記送信装置から出力される画像音声信号に対して優先的に解凍処理が行われ、且つ解凍処理された画像音声信号が表示装置に優先的に出力され、前記表示装置に表示される。
【０００７】
本発明の他の目的は、会議のプレゼンテーション及び／又はリアルタイムのゲームに応用される無線画像音声送受信システム及び方法を提供することにある。すなわち、本発明の無線画像音声送受信システムを使用して無線画像音声送受信方法を実行すると、先ず、起動動作が実行され、少なくとも１つの送信端の各送信装置及び受信端の受信装置が接続されていることの確認が行われて画像音声信号が送信される。前記画像音声信号は圧縮エンコードパケット画像信号である。次に、操作動作が実行され、使用者がジェスチャー制御及び音声制御の内の少なくとも１つの方式を用いて前記少なくとも１つの送信端の前記各送信装置の操作制御を行うことにより、送信装置の操作及び／又はＶＩＰ設定／解除が行われる。続いて、表示動作が実行され、前記受信端の前記受信装置が前記少なくとも１つの送信端の前記各送信装置から出力される画像音声信号を無線方式で受信する。前記受信端の前記受信装置が前記少なくとも１つの送信端の特定の送信端の送信装置のＶＩＰ設定を受信した場合、前記特定の送信端の前記送信装置から出力される画像音声信号に対して優先的に解凍処理が行われ、且つ解凍処理された画像音声信号が表示装置に優先的に出力され、前記受信端の前記受信装置が前記少なくとも１つの送信端の前記特定の送信端の前記送信装置のＶＩＰ解除を受信するまで前記表示装置に表示され続ける。ＶＩＰ設定を受信しなかった場合、前記受信端の前記受信装置は、受信された前記少なくとも１つの送信端の少なくとも何れか１つからの前記画像音声信号の優先順序に基づいて解凍処理が行われ、解凍処理された画像音声信号が前記表示装置に出力されて表示される。
【０００８】
本発明の複数対一の無線画像音声送受信技術は、圧縮された画像音声データを用いることで安定的な送受信及び遅延の低下を実現させるものである。この技術により様々なリアルタイム送受信の応用が可能となり、例えば、インタラクティブなプレゼンテーションやリアルタイムのゲーム等が可能となる。
【０００９】
また、本発明の無線画像音声送受信システムは、無線送受信技術の最適化ができ、画像音声圧縮形式が採用されて１００Ｍｂｐｓ以内の速度で安定的に送受信することが可能である。レイテンシも１００ｍｓ以内にまで下がる。この技術により様々なリアルタイム送受信の応用が可能になり、例えば、インタラクティブなプレゼンテーションやリアルタイムのゲーム等が可能になる。
【００１０】
上記課題を解決するために、本発明のある態様の無線画像音声送受信システムは、少なくとも１つの送信装置と受信装置とを備え、各送信装置がＴｙｐｅ−Ｃ、ＨＤＭＩ、及びＵＳＢの内の少なくとも何れか１つのインターフェースに符合する画像音声信号を受信し、且つＩＥＥＥ８０２．１１通信プロトコル、１００Ｍｂｐｓ等の無線送受信プロトコルで前記画像音声信号を出力し、受信装置は、各送信装置から出力される画像音声信号を受信し、且つＴｙｐｅ−Ｃ、ＨＤＭＩ、及びＵＳＢの内の少なくとも何れか１つのインターフェース符合する画像音声信号が表示装置に選択的に出力される。先ず、各送信装置が受信装置にマッチングされて送受信チャンネルが選択されると共にＷＭＭパラメータ、ＭＣＳ、及びパケット再送信メカニズムの調整が行われ、且つ受信装置により表示装置の表示パラメータが検知されると共に表示パラメータが各送信装置に送信される。また、各送信装置が表示パラメータ及び画像音声信号の送受信モードに基づいて画像音声信号の圧縮率及びフレームレートの調整を行って画像音声信号を出力する。
【００１１】
送信装置は、感知／制御モジュールと、画像音声受信モジュールと、画像圧縮／パケットモジュールと、無線送信モジュールとを備える。感知／制御モジュールは、使用者のジェスチャー制御及び／又は音声制御を感知し、送信装置に対して起動／終了（start/stop）、一時停止／再開（pause/resume）、メニュー（menu）、終了メニュー（exit menu）等の操作を行う。
【００１２】
また、画像音声受信モジュールは感知／制御モジュールに対応し、送信装置が起動／終了（start/stop）、一時停止／再開（pause/resume）、メニュー（menu）、終了メニュー（exit menu）等の操作を実行可能にし、且つＴｙｐｅ−Ｃ、ＨＤＭＩ、及びＵＳＢの内の少なくとも何れか１つのインターフェースに符合する画像音声信号を受信し、前記画像音声信号を画像圧縮／パケットモジュールに送信する。
【００１３】
また、画像圧縮／パケットモジュールは、画像音声受信モジュールからの画像音声信号を受信した後、画像音声信号に対する圧縮エンコードを行い、例えば、ＭＪＰＥＧエンコーディング及びパケット化を行うことで、後続のＩＥＥＥ８０２．１１ａｃプロトコルでパケット送信を行い、又は画像圧縮形式をＭｏｔｉｏｎ−ＪＰＥＧ、１０８０ｐ、３０ｆｐｓとする。前記画像圧縮／パケットモジュールにより圧縮エンコード画像音声信号が無線送信モジュールに送信される。
【００１４】
また、無線送信モジュールは、パケットの画像音声信号の圧縮エンコードをＩＥＥＥ８０２．１１ａｃプロトコルで送信させ、圧縮エンコードパケット画像音声信号の画像音声信号として受信装置に送信する。
【００１５】
また、受信装置は、無線受信モジュールと、パケット処理／画像解凍モジュールと、画像音声出力モジュールと、を備える。
【００１６】
なお、無線受信モジュールは、ＩＥＥＥ８０２．１１通信プロトコル、１００Ｍｂｐｓ、又はＷＰＡ２−ＰＳＫ暗号タイプで圧縮エンコードパケット画像音声信号としての画像音声信号を受信し、且つ受信された画像音声信号をパケット処理／画像解凍モジュールに送信する。
【００１７】
パケット処理／画像解凍モジュールは、画像音声信号に対して受信されたパケットの処理及び画像音声信号の解凍処理を行い、且つ処理後の画像音声信号を画像音声出力モジュールに送信する。
【００１８】
画像音声出力モジュールは、Ｔｙｐｅ−Ｃ、ＨＤＭＩ、及びＵＳＢの内の少なくとも何れか１つのインターフェースに符合する画像音声信号を表示装置に出力する。
【００１９】
ここでは、送信装置及び受信装置の無線送受信構成は、例えば、８０２.１１aｃ（5G）、１００Ｍｂｐｓ、又はＷＰＡ２−ＰＳＫ暗号タイプである。
【００２０】
また、実際の需要に応じて、受信装置の構成は、音声出力（audio out）の音声（Audio）モジュール、及び外部画像ソースを受信可能にするＨＤＭＩスイッチ（Switch）モジュールを備える。
【００２１】
本発明の無線画像音声送受信システムを利用して無線画像音声送受信方法を実行する場合、先ず、起動動作が実行され、少なくとも１つの送信端の各送信装置及び受信端の受信装置が接続されていることの確認を行うことにより画像音声信号を送信する。前記画像音声信号は圧縮エンコードパケット画像信号である。次に、操作動作が実行され、使用者がジェスチャー制御及び音声制御の内の少なくとも１つの方式を用いて前記少なくとも１つの送信端の前記各送信装置の操作制御を行うことにより、送信装置の操作及び／又はＶＩＰ設定／解除が行われる。続いて、表示動作が実行され、前記受信端の前記受信装置が前記少なくとも１つの送信端の前記各送信装置から出力される画像音声信号を無線方式で受信する。前記受信端の前記受信装置が前記少なくとも１つの送信端の特定の送信端の送信装置のＶＩＰ設定を受信した場合、前記特定の送信端の前記送信装置から出力される画像音声信号に対して優先的に解凍処理が行われ、且つ解凍処理された画像音声信号が表示装置に優先的に出力され、前記受信端の前記受信装置が前記少なくとも１つの送信端の前記特定の送信端の前記送信装置のＶＩＰ解除を受信するまで前記表示装置に表示され続ける。ＶＩＰ設定を受信しなかった場合、前記受信端の前記受信装置は、受信された前記少なくとも１つの送信端の少なくとも何れか１つからの前記画像音声信号の優先順序に基づいて解凍処理が行われ、解凍処理された画像音声信号が前記表示装置に出力されて表示される。
【００２２】
さらに、前記無線画像音声送受信方法は、前記受信端が前記特定の送信端のＶＩＰ設定を受信し、前記受信端の使用ライトが第一命令を示すステップ、及び前記受信端が前記特定の送信端のＶＩＰ解除を受信し、前記受信端の使用ライトが第二命令を示すステップを更に含む。
【００２３】
さらに、前記画像音声信号は、音声周波数、写真、又は画像音声コンテンツである。
【発明の効果】
【００２４】
本発明は、様々なリアルタイム送受信伝送の応用が可能となり、例えば、インタラクティブなプレゼンテーションやリアルタイムのゲーム等が可能となる。
【図面の簡単な説明】
【００２５】
【図１】本発明の無線画像音声送受信システムの構成及びその動作状況を説明する概略図である。
【図２】図１に示す無線画像音声送受信システムにより無線画像音声送受信を行う方法のフローチャートである。
【図３】本発明の一実施形態の無線画像音声送受信システムの構成及びその動作状況を説明する概略図である。
【図４】図３に示す無線画像音声送受信システムの一実施形態により無線画像音声送受信を行う方法のフローチャートである。
【図５Ａ】図３に示す無線画像音声送受信システムの一実施形態における実行状況の概略図である。
【図５Ｂ】図３に示す無線画像音声送受信システムの一実施形態における実行状況の概略図である。
【図５Ｃ】図３に示す無線画像音声送受信システムの一実施形態における実行状況の概略図である。
【図６Ａ】本発明の無線画像音声送受信システムの受信端の受信装置のライト表示により、無線伝送方法を行うフローチャートである。
【図６Ｂ】本発明の無線画像音声送受信システムの受信端の受信装置のライト表示により、無線伝送方法を行うフローチャートである。
【発明を実施するための形態】
【００２６】
以下に、本発明に係る無線画像音声送受信システム及び方法の実施の形態を図面に基づいて詳細に説明する。なお、各実施の形態により本発明が限定されるものではない。
【００２７】
図１は本発明の無線画像音声送受信システムの構成及びその動作状況を説明する概略図である。無線画像音声送受信システム１は、少なくとも１つの送信装置２と受信装置３とを備え、各送信装置２がＴｙｐｅ−Ｃ、ＨＤＭＩ、及びＵＳＢの内の少なくとも何れか１つのインターフェースに符合する画像音声信号を受信し、且つＩＥＥＥ８０２．１１通信プロトコル、１００Ｍｂｐｓ等で前記画像音声信号を出力し、受信装置３は、各送信装置２から出力される画像音声信号を受信し、且つＴｙｐｅ−Ｃ、ＨＤＭＩ、及びＵＳＢの内の少なくとも何れか１つのインターフェースに符合する画像音声信号を表示装置４に選択的に出力する。先ず、各送信装置２及び受信装置３がマッチングされて送受信チャンネルが選択されると共にＷＭＭパラメータ、ＭＣＳ、及びパケット再送信メカニズムの調整が行われ、且つ受信装置３により表示装置４の表示パラメータが検知されると共に表示パラメータが各送信装置２に送信される。各送信装置２が表示パラメータ及び画像音声信号の送受信モードに基づいて画像音声信号の圧縮率及びフレームレートの調整を行って画像音声信号を出力する。
【００２８】
送信装置２は、感知／制御モジュール２１と、画像音声受信モジュール２２と、画像圧縮／パケットモジュール２３と、無線送信モジュール２４とを備える。感知／制御モジュール２１は、使用者のジェスチャー制御及び／又は音声制御を感知し、送信装置２に対して起動／終了（start/stop）、一時停止／再開（pause/resume）、メニュー（menu）、終了メニュー（exit menu）等の操作を行う。
【００２９】
画像音声受信モジュール２２は感知／制御モジュール２１に対応して、送信装置２が起動／終了（start/stop）、一時停止／再開（pause/resume）、メニュー（menu）、終了メニュー（exit menu）等の操作を実行可能にし、且つＴｙｐｅ−Ｃ、ＨＤＭＩ、及びＵＳＢの内の少なくとも何れか１つのインターフェースに符合する画像音声信号を受信し、前記画像音声信号を画像圧縮／パケットモジュール２３に送信する。
【００３０】
また、画像圧縮／パケットモジュール２３は、画像音声受信モジュール２２からの画画像音声信号を受信した後、画像音声信号に対する圧縮エンコードを実行し、例えば、ＭＪＰＥＧエンコーディング及びパケット化を行うことで、後続のＩＥＥＥ８０２．１１ａｃプロトコルでパケット送信を行い、又は画像圧縮形式をＭｏｔｉｏｎ−ＪＰＥＧ、１０８０ｐ、３０ｆｐｓとする。前記画像圧縮／パケットモジュール２３により圧縮エンコード画像音声信号が無線送信モジュール２４に送信される。
【００３１】
無線送信モジュール２４は、パケットの画像音声信号の圧縮エンコードをＩＥＥＥ８０２．１１ａｃプロトコルで送信し、圧縮エンコードパケット画像音声信号とする画像音声信号を受信装置３に送信する。
【００３２】
受信装置３は無線受信モジュール３１と、パケット処理／画像解凍モジュール３２と、画像音声出力モジュール３３とを備える。無線受信モジュール３１は、ＩＥＥＥ８０２．１１通信プロトコル、１００Ｍｂｐｓ又はＷＰＡ２−ＰＳＫ暗号タイプで圧縮エンコードパケット画像音声信号としての画像音声信号を受信し、且つ受信された画像音声信号をパケット処理／画像解凍モジュール３２に送信する。
【００３３】
また、パケット処理／画像解凍モジュール３２は、画像音声信号に対して受信されたパケットの処理及び画像音声信号の解凍処理を行い、且つ処理後の画像音声信号を画像音声出力モジュール３３に送信する。
【００３４】
また、画像音声出力モジュール３３は、Ｔｙｐｅ−Ｃ、ＨＤＭＩ、及びＵＳＢの内の少なくとも何れか１つのインターフェースに符合する画像音声信号を表示装置４に出力する。ここでは、送信装置２及び受信装置３の無線送受信構成は、例えば、８０２.１１aｃ（5G）、１００Ｍｂｐｓ、又はＷＰＡ２−ＰＳＫ暗号タイプである。なお、実際の需要に応じて、受信装置３の構成は、音声出力（audio out）の音声（Audio）モジュール、及び外部画像ソースを受信可能なＨＤＭＩスイッチ（Switch）モジュールを含む。
【００３５】
図２は図１に示す無線画像音声送受信システムにより無線画像音声送受信を行う方法のフローチャートである。図２に示すように、ステップ１０１では起動動作が実行され、少なくとも１つの送信端の各送信装置２及び受信端の受信装置３が接続されていることの確認を行うことにより、画像音声信号を送信する。前記画像音声信号は圧縮エンコードパケット画像信号であり、次いでステップ１０２に進む。
【００３６】
ステップ１０２では操作動作が実行され、使用者がジェスチャー制御及び音声制御の内の少なくとも１つの方式を用いて前記少なくとも１つの送信端の前記各送信装置２の操作制御を行うことにより、送信装置２の操作及び／又はＶＩＰ設定／解除が行われ、ステップ１０３に進む。
【００３７】
ステップ１０３では表示動作が実行され、前記受信端の前記受信装置３が前記少なくとも１つの送信端の前記各送信装置２から出力される画像音声信号を無線方式で受信する。前記受信端の前記受信装置３が前記少なくとも１つの送信端の特定の送信端の送信装置２のＶＩＰ設定を受信した場合、前記特定の送信端の前記送信装置２から出力される画像音声信号に対して優先的に解凍処理が行われ、且つ解凍処理された画像音声信号が表示装置４に優先的に出力され、前記受信端の前記受信装置３が前記少なくとも１つの送信端の前記特定の送信端の前記送信装置２のＶＩＰ解除を受信するまで前記表示装置４に表示され続ける。ＶＩＰ設定を受信しなかった場合、前記受信端の前記受信装置３は、受信された前記少なくとも１つの送信端の少なくとも何れか１つからの前記画像音声信号の優先順序に基づいて解凍処理が行われ、解凍処理された画像音声信号が前記表示装置４に出力されて表示される。
【００３８】
ステップ１０２は、前記受信端の受信装置３が前記特定の送信端の送信装置２のＶＩＰ設定を受信した場合、前記受信端の受信装置３の使用ライトが第一命令を示すステップ、及び前記受信端の受信装置３が前記特定の送信端の送信装置２のＶＩＰ解除を受信した場合、前記受信端の受信装置３の使用ライトが第二命令を示すステップを含む。
【００３９】
図１及び図２はどちらも本発明の無線画像音声送受信方法がＶＩＰメカニズムを有する無線画像音声送受信方法であり、複数の画像音声信号を１つの装置にリアルタイムで送信可能である。本技術はＶＩＰ設定及びＶＩＰ解除を含むＶＩＰ盗用防止メカニズムにより複数の画像音声信号の表示順序及びルールの調整が行われる。本技術の応用分野は複数対一の画像音声送受信が求められる場面であり、例えば、オフィスで多人数が参加するプレゼンテーションで、一人の画像音声信号のみが表示される場面等がある。
【００４０】
図３は本発明の一実施形態の無線画像音声送受信システムの構成及びその動作状況を説明する概略図である。図３に示すように、受信端の受信装置３が少なくとも１つの送信端の各送信装置２から出力される画像音声信号を無線方式で受信し、且つ送信端の少なくとも１つの送信装置２の内の１つの画像音声信号を表示装置４に選択的に出力する。特定の送信装置２ａの使用者がジェスチャー制御及び音声制御の内の少なくとも１つの方式を用いて前記特定の送信装置２ａの操作制御を行うことで、ＶＩＰ設定１４０／ＶＩＰ解除１５０が行われる。
【００４１】
受信端の受信装置３が特定の送信装置２ａのＶＩＰ設定１４０を受信することにより、特定の送信装置２ａの画像音声信号が表示装置４に出力される。前記受信端の前記受信装置３が特定の送信装置２ａから送信されたＶＩＰ設定１４０を受信した場合、前記特定の送信装置２ａから出力される画像音声信号に対して優先的に解凍処理が行われ、且つ解凍処理された画像音声信号が表示装置４に優先的に出力され、前記受信端の前記受信装置３が前記特定の送信装置２ａから送信されるＶＩＰ解除１５０を受信するまで前記表示装置４に表示され続ける。ＶＩＰ設定１４０を受信しなかった場合、前記受信端の前記受信装置３は、受信された前記少なくとも１つの送信装置２の少なくとも何れか１つからの前記画像音声信号の優先順序に基づいて解凍処理が行われ、解凍処理された画像音声信号が前記表示装置４に出力されて表示される。
【００４２】
送信装置２は、感知／制御モジュール２１と、画像音声受信モジュール２２と、画像圧縮／パケットモジュール２３と、無線送信モジュール２４と、を備える。感知／制御モジュール２１は、使用者のジェスチャー制御及び／又は音声制御を感知する。使用者がジェスチャー制御及び音声制御の内の少なくとも１つの方式を用いて前記特定の送信装置２ａの操作制御を行うことにより、ＶＩＰ設定１４０／ＶＩＰ解除１５０が実行される。
【００４３】
また、画像音声受信モジュール２２は、感知／制御モジュール２１に対応して、送信装置２が起動／終了（start/stop）、一時停止／再開（pause/resume）、メニュー（menu）、終了メニュー（exit menu）等の操作を実行可能にし、且つＴｙｐｅ−Ｃ、ＨＤＭＩ、及びＵＳＢの内の少なくとも何れか１つのインターフェースに符合する画像音声信号を受信し、前記画像音声信号を画像圧縮／パケットモジュール２３に送信する。
【００４４】
また、画像圧縮／パケットモジュール２３は、画像音声受信モジュール２２からの画像音声信号を受信した後、画像音声信号に対して圧縮エンコードを行い、例えば、ＭＪＰＥＧエンコーディング及びパケット化を行うことで、後続のＩＥＥＥ８０２．１１ａｃプロトコルでパケット送信を行い、又は画像圧縮形式をＭｏｔｉｏｎ−ＪＰＥＧ、１０８０ｐ、３０ｆｐｓとする。前記画像圧縮／パケットモジュール２３により圧縮エンコード画像音声信号が無線送信モジュール２４に送信される。
【００４５】
また、無線送信モジュール２４は、パケットの画像音声信号の圧縮エンコードをＩＥＥＥ８０２．１１ａｃプロトコルで送信し、圧縮エンコードパケット画像音声信号とする画像音声信号を受信装置３に送信する。受信装置３は無線受信モジュール３１と、パケット処理／画像解凍モジュール３２と、画像音声出力モジュール３３と、を備える。無線受信モジュール３１は、ＩＥＥＥ８０２．１１通信プロトコル、１００Ｍｂｐｓ、又はＷＰＡ２−ＰＳＫ暗号タイプで圧縮エンコードパケット画像音声信号としての画像音声信号を受信し、且つ受信された画像音声信号がパケット処理／画像解凍モジュール３２に送信される。
【００４６】
さらに、パケット処理／画像解凍モジュール３２は、画像音声信号に対して受信されたパケットの処理及び画像音声信号の解凍処理を行い、且つ処理後の画像音声信号を画像音声出力モジュール３３に送信する。
【００４７】
また、画像音声出力モジュール３３は、Ｔｙｐｅ−Ｃ、ＨＤＭＩ、及びＵＳＢの内の少なくとも何れか１つのインターフェースに符合する画像音声信号を表示装置４に出力する。
【００４８】
ここでは、送信装置２及び受信装置３の無線送受信構成は、例えば、８０２.１１aｃ（5G）、１００Ｍｂｐｓ、又は、ＷＰＡ２−ＰＳＫ暗号タイプである。
【００４９】
さらに、実際の需要に応じて、受信装置３の構成は、音声出力（audio out）の音声（Audio）モジュール、及び外部画像ソースを受信可能にするＨＤＭＩスイッチ（Switch）モジュールを備える。
【００５０】
図４は、図３に示す無線画像音声送受信システムの一実施形態により無線画像音声送受信を行う方法のフローチャートである。図４に示すように、先ず、ステップ２０１では起動動作が実行され、少なくとも１つの送信端の各送信装置２、２ａ及び受信端の受信装置３が接続されていることの確認が行われることにより、画像音声信号が送信される。前記画像音声信号は、圧縮エンコードパケット画像信号であり、続いてステップ２０２に進む。
【００５１】
ステップ２０２では操作動作が実行され、少なくとも１つの送信端の前記各送信装置２及び２ａにおいて、使用者がジェスチャー制御及び音声制御の内の少なくとも１つの方式を用いて前記特定の送信装置２ａの操作制御を行うことにより、ＶＩＰ設定１４０／ＶＩＰ解除１５０が実行され、且つステップ２０３に進む。
【００５２】
ステップ２０３では表示動作が実行され、前記受信端の前記受信装置３が前記少なくとも１つの送信端の前記各送信装置２、２ａから出力される画像音声信号を無線方式で受信する。前記受信端の前記受信装置３が前記特定の送信装置２ａのＶＩＰ設定１４０を受信した場合、前記特定の送信装置２ａから出力される画像音声信号に対して優先的に解凍処理が行われ、且つ解凍処理された画像音声信号が表示装置４に優先的に出力され、前記受信端の前記受信装置３が前記特定の送信装置２ａのＶＩＰ解除１５０を受信するまで前記表示装置４に表示され続ける。ＶＩＰ設定１４０を受信しなかった場合、前記受信端の前記受信装置３では、受信された前記少なくとも１つの送信端の少なくとも何れか１つからの前記画像音声信号の優先順序に基づいて解凍処理が行われ、解凍処理された画像音声信号が前記表示装置４に出力されて表示される。
【００５３】
ステップ２０２は、前記受信端の受信装置３が前記特定の送信装置２ａのＶＩＰ設定１４０を受信し、前記受信端の受信装置３の使用ライトが第一命令を示すステップ、及び前記受信端の受信装置３が前記特定の送信装置２ａのＶＩＰ解除１５０を受信し、前記受信端の受信装置３の使用ライトが第二命令を示すステップを含む。
【００５４】
さらに、図５Ａ乃至図５Ｃは、図３に示す無線画像音声送受信システムの一実施形態における実行状況の概略図である。これらの図面に示すように、送信装置２、２ａは、多機能のデジタルメディアプレーヤーやノートパソコン等にそれぞれ接続されて画像音声信号を出力し、且つ表示装置４を平面の表示器とする。
【００５５】
図５Ａに示すように、受信端の受信装置３がＤＶＤプレーヤーやノートパソコン等に接続される送信端の送信装置２の内の１つの画像音声信号を無線方式で受信し、表示装置４に出力する。
【００５６】
図５Ｂに示すように、受信端の受信装置３が特定の送信装置２ａのＶＩＰ設定１４０を受信し、ノートパソコンに接続される特定の送信装置２ａの画像音声信号を表示装置４に出力する。
【００５７】
図５Ｃに示すように、受信端の受信装置３が前記特定の送信装置２ａのＶＩＰ解除１５０を受信した後、少なくとも１つの送信端の内の１つの通知により通知された送信端の送信装置２ｃの画像音声信号を表示装置４に出力する。
【００５８】
実際に実行する場合、画像音声信号は、例えば音声信号、写真、画像音声コンテンツ等の信号でもよい。また、図５Ｃに示すように、送信端の内の１つの通知は、例えば通知される送信端の使用者がジェスチャー制御及び音声制御の内の少なくとも１つの方式を用いて行う。
【００５９】
図６Ａ及び図６Ｂは、本発明の無線画像音声送受信システムの受信端の受信装置のライト表示により、無線送受信方法を行うフローチャートである。図６Ａ及び図６Ｂに示すように、無線画像音声送受信システム及び方法は、受信端の受信装置３が特定の送信装置２ａのＶＩＰ設定１４０を受信した後、受信端の受信装置３の使用ライトが第一命令を示すステップ、及び受信端の受信装置３が前記特定の送信装置２ａのＶＩＰ解除１５０を受信した後、受信端の受信装置３の使用ライトが第二命令を示すステップを更に含む。使用ライトの表示は、送信端の送信装置２、２ａ及び受信端の受信装置３の第一命令及び第二命令の状態を示し、図６Ａ及び図６Ｂを参照しながら説明する。
【００６０】
図６Ａ及び図６Ｂには、受信端の受信装置３及び送信端の送信装置２、２ａの動作フローチャートを示す。図６Ａ及び図６Ｂにおいて、受信端の受信装置３及び送信端の送信装置２、２ａは各々異なるメッセージライト表示方式でそれぞれの状態を表示し、使用者がジェスチャー５、６制御及び音声制御の内の少なくとも１つの方式を用いて前記特定の送信装置２ａの操作制御を行うことにより、ＶＩＰ設定１４０／ＶＩＰ解除１５０が実行され、且つ使用者のジェスチャー５、６制御及び／又は音声制御が感知され、送信装置２、２ａに対して起動／終了（start/stop）、一時停止／再開（pause/resume）、メニュー（menu）、終了メニュー（exit menu）等の操作が行われる。例えば、投影方式により送信端の送信装置２、２ａから出力される画像音声信号が表示装置４に表示される。
【００６１】
図６Ａに示すように、受信端の受信装置３は、先ず使用者がジェスチャー制御及び音声制御の内の少なくとも１つの方式を用いて起動及び待機を行う送信端の送信装置２、２ａとの接続の確認を行う。次に、特定の送信端２ａのＶＩＰ設定１４０が受信されたか否かの確認が行われ、特定の送信装置２ａの投影が実行される。又は、少なくとも１つの送信端の送信装置２の内の１つの通知を受信することにより（使用者がジェスチャー５、６制御及び音声制御の内の少なくとも１つの方式を用いて投影を操作する）、通知された送信端の送信装置２、２ａの投影を実行する準備をする。
【００６２】
図６Ｂに示すように、送信端の送信装置２、２ａは、先ず起動（使用者がジェスチャー５、６制御及び音声制御の内の少なくとも１つの方式を用いて操作を行う）及び受信端とのスムーズな接続の確認を行う。次いで、特定の送信装置２ａのＶＩＰ設定１４０の確認を行い、特定の送信装置２ａの投影を実行させる。且つ、特定の送信装置２ａのＶＩＰ解除１５０が行われたか否かの確認を行い、他の送信端の送信装置２の投影を実行させる。
【００６３】
上述の技術は無線画像音声送受信システム及び方法を提供し、本技術はＶＩＰ設定及びＶＩＰ解除のＶＩＰ盗用防止メカニズムを含み、送信端の送信装置の画像音声信号の表示順序及びルールの調整を行う。
【００６４】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の特許請求の範囲ないし請求項に含まれるである。
【符号の説明】
【００６５】
２      送信装置
２ａ    送信装置
３      受信装置
４      表示装置
５      ジェスチャー
６      ジェスチャー
２１    感知／制御モジュール
２２    画像音声受信モジュール
２３    画像圧縮／パケットモジュール
２４    無線送信モジュール
３１    無線受信モジュール
３２    パケット処理／画像解凍モジュール
３３    画像音声出力モジュール
１０１  ステップ
１０２  ステップ
１０３  ステップ
１４０  ＶＩＰ設定
１５０  ＶＩＰ解除
２０１  ステップ
２０２  ステップ
２０３  ステップ
【図１】
2019213180.tif 000003
【図２】
2019213180.tif 000004
【図３】
2019213180.tif 000005
【図４】
2019213180.tif 000006
【図５Ａ】
2019213180.tif 000007
【図５Ｂ】
2019213180.tif 000008
【図５Ｃ】
2019213180.tif 000009
【図６Ａ】
2019213180.tif 000010
【図６Ｂ】
2019213180.tif 000011